(57)【要約】【課題】顕微鏡に３以上のデバイスを接続可能とするとともに各デバイスを同時に使用する。【解決手段】標本の観察を行う顕微鏡１０に接続される顕微鏡接続ポート１２１と、標本に光を照射する刺激ユニット７０または標本において発せられる光を検出する共焦点観察ユニット５０、撮影ユニット１１０が接続可能な３以上のユニット接続ポート１２３Ａ，１２３Ｂ，１２３Ｃと、顕微鏡接続ポート１２１とユニット接続ポート１２３Ａ，１２３Ｂ，１２３Ｃとの間に配置され、顕微鏡１０と共焦点観察ユニット５０、刺激ユニット７０および撮影ユニット１１０とを光学的に接続する光路を合成する２以上の光路合成部１２７Ａ，１２７Ｂとを備える顕微鏡接続ユニット１２０を提供する。【選択図】図２
2011090248.tif 000002
【特許請求の範囲】
【請求項１】
標本の観察を行う顕微鏡に接続される顕微鏡接続部と、
前記標本に光を照射する照射手段または前記標本において発せられる光を検出する検出手段が接続可能な３以上の接続ポートと、
前記顕微鏡接続部と前記接続ポートとの間に配置され、前記顕微鏡と前記照射手段または前記検出手段とを光学的に接続する光路を合成する２以上の光路合成部とを備える顕微鏡接続ユニット。
【請求項２】
前記光路を形成し、前記顕微鏡により結像される前記標本の１次像をリレーするリレー光学系を備える請求項１に記載の顕微鏡接続ユニット。
【請求項３】
前記光路合成部が、前記リレー光学系によって形成される略平行光束上に配置されている請求項２に記載の顕微鏡接続ユニット。
【請求項４】
前記リレー光学系が非平行光束を形成する請求項３に記載の顕微鏡接続ユニット。
【請求項５】
前記接続ポートが略同一形状を有する請求項１から請求項４のいずれかに記載の顕微鏡接続ユニット。
【請求項６】
前記光路合成部を挿脱可能な切替手段を備える請求項１から請求項５のいずれかに記載の顕微鏡接続ユニット。
【請求項７】
前記光路合成部が、前記切替手段に着脱可能な複数のビームスプリッタにより構成されている請求項６に記載の顕微鏡接続ユニット。
【請求項８】
請求項６または請求項７に記載の顕微鏡接続ユニットと、前記顕微鏡と、前記照射手段および／または前記検出手段と、これらを制御する制御装置とを備える顕微鏡システム。
【請求項９】
前記照射手段による前記標本上の照射位置および前記検出手段による光の検出位置の基準情報を記憶する記憶部と、
該記憶部に記憶されている前記基準情報に基づき前記照射手段による照射位置ずれおよび前記検出手段による検出位置ずれを補正する補正手段と備える請求項８に記載の顕微鏡システム。
【請求項１０】
前記検出手段が、前記接続ポートに接続されるユニット接続部と、
前記標本に照射する観察用励起光を発生する観察用光源と、
該観察用光源から発せられる前記観察用励起光を前記標本上で２次元的に走査する観察用走査手段と、
前記観察用励起光が照射された前記標本から発せられ前記観察用走査手段を介して戻る観察光を部分的に通過させる共焦点ピンホールと、
該共焦点ピンホールを通過した前記観察光を検出する検出光学系とを備える請求項８または請求項９に記載の顕微鏡システム。
【請求項１１】
前記照射手段が、前記接続ポートに接続されるユニット接続部と、
前記標本に照射する刺激光を発する刺激用光源と、
該刺激用光源から発せられる前記刺激光を前記標本上で２次元的に走査する刺激用走査手段とを備える請求項８または請求項９に記載の顕微鏡システム。
【請求項１２】
前記検出手段が、前記接続ポートに着脱可能な２次元撮像デバイスを備える請求項８から請求項１１のいずれかに記載の顕微鏡システム。
【請求項１３】
前記検出手段が、前記光を同時並列に多点走査する多点走査手段と、前記標本に照明光を照射する照明手段とを備える請求項８から請求項１１のいずれかに記載の顕微鏡システム。
【発明の詳細な説明】
【技術分野】
【０００１】
本発明は、顕微鏡接続ユニットおよび顕微鏡システムに関するものである。
【背景技術】
【０００２】
従来、接眼レンズを通して行う目視観察とともに、鏡体にカメラ等を取り付けて試料の拡大像を撮影可能にした顕微鏡装置が知られている。（例えば、特許文献１および特許文献２参照。）。特許文献１に記載の顕微鏡装置は顕微鏡に写真用光路を一体化したものであり、シンプルな光学系で装置全体をコンパクトにするとともに標本を載置するステージを低い位置に配置することで人間工学を考慮し作業性を向上することとしている。また、特許文献２に記載の顕微鏡装置は、対物レンズを通過した光を観察光路と撮影光路とに分岐するプリズムを備え、プリズムにより分岐された観察光路および撮影光路の２ポートを同時に使用して観察および撮影することができる。
【先行技術文献】
【特許文献】
【０００３】
【特許文献１】特許第３０６９９１１号公報
【特許文献２】特開２００４−３１８１８１号公報
【発明の概要】
【発明が解決しようとする課題】
【０００４】
しかしながら、特許文献１に記載の顕微鏡装置では、観察しながら刺激した標本の反応を撮影するための観察用、刺激用および撮影用等の３つ以上のデバイスを同時に使用することができない。
【０００５】
また、特許文献２に記載の顕微鏡装置においては、結像レンズの焦点距離を延ばし結像レンズから１次像が形成される位置までの間に分岐手段を追加することにより３光路を同時に使用することが可能となるが、結像レンズの焦点距離を延ばすと目視観察光路のリレーレンズ系や撮像光路のＴＶカメラアダプタ（写真レンズ）の焦点距離が相対的に大きくなり、装置が大型化してしまう。また、対物レンズの倍率が変わってしまうなど、周辺機器との互換性がなくなってしまう。また、対物レンズと結像レンズとの間の距離を広げて分岐手段を追加することとすると、レンズ径も大きくしなければならず、装置全体が大型化したりステージ位置が高くなったりし作業性が低下するという不都合がある。
【０００６】
本発明は、このような事情に鑑みてなされたものであって、顕微鏡に３以上のデバイスを接続可能とするとともに各デバイスを同時に使用することができる顕微鏡接続ユニットおよび顕微鏡システムを提供することを目的とする。
【課題を解決するための手段】
【０００７】
上記課題を解決するために、本発明は以下の手段を採用する。
本発明は、標本の観察を行う顕微鏡に接続される顕微鏡接続部と、前記標本に光を照射する照射手段または前記標本において発せられる光を検出する検出手段が接続可能な３以上の接続ポートと、前記顕微鏡接続部と前記接続ポートとの間に配置され、前記顕微鏡と前記照射手段または前記検出手段とを光学的に接続する光路を合成する２以上の光路合成部とを備える顕微鏡接続ユニットを提供する。
【０００８】
本発明によれば、顕微鏡接続部および接続ポートにより、顕微鏡を大型化したり顕微鏡の作業性を悪化させたりすることなく顕微鏡に３以上の照射手段や検出手段を光学的に接続することができる。また、光路合成部により、顕微鏡と照射手段または検出手段とを光学的に接続する光路を合成することで、照射手段および検出手段間の光路を切り替えることなくそれぞれ同時に使用することができる。これにより、例えば、刺激光照射直後の標本の反応を逃すことなく観察することが可能となる。
【０００９】
上記発明においては、前記光路を形成し、前記顕微鏡により結像される前記標本の１次像をリレーするリレー光学系を備えることとしてもよい。
このように構成することで、リレー光学系により標本の１次像を顕微鏡から遠い位置に再構築することができる。したがって、顕微鏡接続部と接続ポートとの間に光路合成部を容易に配置し、複数の光路を合成し易くすることができる。
【００１０】
また、上記発明においては、前記光路合成部が、前記リレー光学系によって形成される略平行光束上に配置されていることとしてもよい。
このように構成することで、光路合成部によって略平行光束の光路が合成されるので、非点隔差による像の劣化を防止することができる。なお、非点隔差とは、光を集光したときの光軸に垂直な２方向の集光位置のずれのことをいう。
【００１１】
また、上記発明においては、前記リレー光学系が非平行光束を形成することとしてもよい。
このように構成することで、光路合成部における光の裏面反射の影響により干渉縞が生じて像が劣化するのを防止することができる。
【００１２】
また、上記発明においては、前記接続ポートが略同一形状を有することとしてもよい。
このように構成することで、照射手段および検出手段を接続ポートの数に応じて自由に組み合わせることができ、観察方法のバリエーションを増加することができる。
【００１３】
また、上記発明においては、前記光路合成部を挿脱可能な切替手段を備えることとしてもよい。
このように構成することで、切替手段により光路合成部を挿脱するだけで、顕微鏡と照射手段または検出手段との間の光路を合成したり分離したりすることができる。なお、切替手段による光路合成部の挿脱は自動で行うこととしてもよいし手動で行うこととしてもよい。
【００１４】
また、上記発明においては、前記光路合成部が、前記切替手段に着脱可能な複数のビームスプリッタにより構成されていることとしてもよい。
このように構成することで、照射手段または検出手段による観察方法の切り替えに連動して複数のビームスプリッタから最適なものを光路に配置することができる。
【００１５】
本発明は、上記本発明の顕微鏡接続ユニットと、前記顕微鏡と、前記照射手段および／または前記検出手段と、これらを制御する制御装置とを備える顕微鏡システムを提供する。
本発明によれば、制御装置により、顕微鏡接続ユニットと照射手段や検出手段間の同期を高速かつ正確にとることができる。
【００１６】
上記発明においては、前記照射手段による前記標本上の照射位置および前記検出手段による光の検出位置の基準情報を記憶する記憶部と、該記憶部に記憶されている前記基準情報に基づき前記照射手段による照射位置ずれおよび前記検出手段による検出位置ずれを補正する補正手段と備えることとしてもよい。
【００１７】
このように構成することで、切替手段により観察方法に応じて光路合成部を切り替えても、記憶部および補正手段の作動により照射手段における照射位置ずれや検出手段における検出位置ずれを防ぐことができる。
【００１８】
また、上記発明においては、前記検出手段が、前記接続ポートに接続されるユニット接続部と、前記標本に照射する観察用励起光を発生する観察用光源と、該観察用光源から発せられる前記観察用励起光を前記標本上で２次元的に走査する観察用走査手段と、前記観察用励起光が照射された前記標本から発せられ前記観察用走査手段を介して戻る観察光を部分的に通過させる共焦点ピンホールと、該共焦点ピンホールを通過した前記観察光を検出する検出光学系とを備えることとしてもよい。
【００１９】
このように構成することで、観察用光源から発生され観察用走査手段によって走査される観察用励起光がユニット接続部を介して標本に照射されるとともに、標本において発せられ観察用走査手段を介して共焦点ピンホールを通過した観察光が検出部によって検出されることにより、標本を共焦点観察することができる。
【００２０】
また、上記発明においては、前記照射手段が、前記接続ポートに接続されるユニット接続部と、前記標本に照射する刺激光を発する刺激用光源と、該刺激用光源から発せられる前記刺激光を前記標本上で２次元的に走査する刺激用走査手段とを備えることとしてもよい。
【００２１】
このように構成することで、刺激用光源から発生され刺激用走査手段によって走査される刺激光がユニット接続部を介して標本に照射されることで、標本の所望の位置を光刺激することができる。
【００２２】
また、上記発明においては、前記検出手段が、前記接続ポートに着脱可能な２次元撮像デバイスを備えることとしてもよい。
２次元撮像デバイスは面で光を検出するため、共焦点観察を行う場合と比較してフレームレートが高い。したがって、２次元撮像デバイスにより、例えば、カルシウムイオン等の速い反応を捉えることができる。
【００２３】
また、上記発明においては、前記検出手段が、前記光を同時並列に多点走査する多点走査手段と、前記標本に照明光を照射する照明手段とを備えることとしてもよい。
検出手段としては、ＤＭＤ（微小偏向素子アレイ）多点レーザ走査やディスク共焦点等が挙げられる。これらはガルバノスキャナやレゾナントスキャナと比較してフレームレートが高いので、標本の速い反応を逃すことなく観察することができる。
【発明の効果】
【００２４】
本発明によれば、顕微鏡に３以上のデバイスを接続可能とするとともに各デバイスを同時に使用することができるという効果を奏する。
【図面の簡単な説明】
【００２５】
【図１】本発明の第１の実施形態に係る顕微鏡システムの概略構成を示す図である。
【図２】図１の顕微鏡接続ユニットの概略構成を示す図である。
【図３】（ａ）は図１の顕微鏡の概略構成を示す図であり、（ｂ）はビームスプリッタの形状を示す図である。
【図４】図１の共焦点観察ユニットの概略構成を示す図である。
【図５】図１の刺激ユニットの概略構成を示す図である。
【図６】本発明の第１の実施形態の変形例に係る光路合成部の概略構成を示す図である。
【図７】（ａ）は図６のビームスプリッタの概略構成を示す図であり、（ｂ）はスライド式切替手段の概略構成を示す図である。
【図８】本発明の第２の実施形態に係る顕微鏡システムの概略構成を示す図である。
【図９】図８の多点走査ユニットの概略構成を示す図である。
【発明を実施するための形態】
【００２６】
〔第１の実施形態〕
以下、本発明の第１の実施形態に係る顕微鏡接続ユニットおよび顕微鏡システムについて、図面を参照して説明する。
本実施形態に係る顕微鏡システム１００は、図１および図２に示すように、標本Ｓを目視観察する顕微鏡１０と、レーザ光（観察用励起光、刺激光）を発生するレーザユニット（観察用光源、刺激用光源）１４０と、標本Ｓを共焦点観察する共焦点観察ユニット（検出手段）５０と、標本Ｓを光刺激する刺激ユニット（照射手段）７０と、標本Ｓの２次元画像を取得する撮影ユニット（検出手段）１１０と、顕微鏡１０とこれら共焦点観察ユニット５０、刺激ユニット７０および撮影ユニット１１０とを光学的に接続する顕微鏡接続ユニット１２０とを備えている。
【００２７】
また、顕微鏡システム１００には、システム全体を制御するコントローラ（制御装置）１５２と、情報処理や記憶、画像構築等を行うＰＣ１５４と、ＰＣ１５４により処理された情報や画像を表示するモニタ１５６とが備えられている。
【００２８】
コントローラ１５２によりシステム全体を制御することで、共焦点観察ユニット５０、刺激ユニット７０および撮影ユニット１１０間の同期を高速かつ正確にとることができる。
また、コントローラ１５２およびＰＣ１５４は、ＧＵＩ（図示略）により操作することができるようになっている。これにより、操作が簡単で操作ミスを防止することできる。
【００２９】
顕微鏡１０は、図３（ａ）に示すように、透過観察用の照明光を発するハロゲンランプ１１と、ハロゲンランプ１１から発せられ顕微鏡第１反射ミラー１３Ａにより反射された照明光を視野絞り（ＦＳ）１５および開口絞り（ＡＳ）１７を介してステージ２１上の標本Ｓに集光するコンデンサ１９と、コンデンサ１９により集光された照明光が照射されることにより標本Ｓを透過した透過光を集光する複数の対物レンズ２３とを備えている。対物レンズ２３はレボルバ２５により支持されている。
【００３０】
また、顕微鏡１０は、対物レンズ２３からの光を結像する結像レンズ２７と、結像レンズ２７により結像され、顕微鏡第２反射ミラー１３Ｂを介してプリズム２９により分割された像を目視観察する接眼レンズ３１とを備えている。なお、符号３３は顕微鏡シャッタを示し、符号３５は照準を合わせるための照準部を示している。
【００３１】
さらに、顕微鏡１０は、落射観察用の照明光を発する顕微鏡水銀ランプ３７と、顕微鏡水銀ランプ３７から発せられた照明光を対物レンズ２３へと反射して標本Ｓに照射する一方、標本Ｓからの観察光を透過して結像レンズ２７に入射させる顕微鏡ビームスプリッタ３９とを備えている。以下、ビームスプリッタを「ＢＳ」とする。
【００３２】
顕微鏡ＢＳ３９は、検鏡方法を切り替えるためのキューブターレット４１内に設けられている。また、顕微鏡ＢＳ３９は、図３（ｂ）に示すように、長手方向に沿って厚さが徐々に変化するくさび形状を有し、裏面反射光が光軸に対して角度をもつように形成されている。
【００３３】
また、この顕微鏡１０には、顕微鏡接続ユニット１２０が接続される外部接続ポート４３が設けられている。また、結像レンズ２７と顕微鏡第２反射ミラー１３Ｂとの間には顕微鏡切替ミラー４５が挿脱可能に配置されている。顕微鏡１０の光路から顕微鏡切替ミラー４５を外した状態では、標本Ｓの１次像が接眼レンズ３１側（図３の目視光路上）に結像され、顕微鏡１０の光路に顕微鏡切替ミラー４５を配置した状態では、標本Ｓの１次像が外部接続ポート４３を介して顕微鏡接続ユニット１２０側（同図の１次像位置Ｋ）に結像されるようになっている。
【００３４】
レーザユニット１４０は、図示しないレーザ発振器、波長選択手段およびレーザ強度調光手段等を備え、波長選択手段およびレーザ強度調光手段により、レーザ発振器よって発振されたレーザ光を観察に適した波長および強度に調整して出力することができるようになっている。
【００３５】
また、レーザユニット１４０には、図４および図５に示すように、レーザ光を共焦点観察ユニット５０および刺激ユニット７０に導光するシングルモードファイバ１４１，１４２と、シングルモードファイバ１４１，１４２の出射端面に対向配置され、導光されたレーザ光を平行光束にするレーザユニットコリメートレンズ１４３，１４４とが備えられている。
【００３６】
共焦点観察ユニット５０は、図４に示すように、顕微鏡接続ユニット１２０に接続される観察ユニット接続部（ユニット接続部）５１を備えている。また、共焦点観察ユニット５０は、レーザユニット１４０から導光されたレーザ光を反射する観察ユニット第１反射ミラー５３Ａおよび観察ユニット第１ＢＳ５５Ａと、これらにより反射されたレーザ光を観察ユニット接続部５１を介して顕微鏡１０の標本Ｓ上で２次元的に走査する観察ユニットガルバノスキャナ（観察用走査手段）５７と、観察ユニットガルバノスキャナ５７により走査されたレーザ光を標本Ｓの２次像位置Ｌに集光する観察ユニット瞳投影レンズ５９とを備えている。以下、ガルバノスキャナを「ＧＳ」とする。
【００３７】
また、共焦点観察ユニット５０には、観察ユニット第１反射ミラー５３Ａまたは観察ユニット第１ＢＳ５５Ａにより反射されたレーザ光を観察ユニットＧＳ５７へ反射する一方、レーザ光が照射された標本Ｓにおいて発生し観察ユニットＧＳ５７によりディスキャンされた蛍光を透過する観察ユニット励起ＤＭ６１が備えられている。観察ユニットＧＳ５７は、ガルバノスキャナとレゾナントスキャナとを組み合わせて構成された観察ユニットスキャナ５８に切り替え可能となっている。
【００３８】
さらに、共焦点観察ユニット５０は、観察ユニット励起ＤＭ６１を透過し観察ユニット第２ＢＳ５５Ｂにより反射された蛍光を波長ごとに反射する分光ＤＭ６３Ａ，６３Ｂおよび観察ユニット第２反射ミラー５３Ｂと、これらにより反射され共焦点レンズ６５Ａ，６５Ｂ，６５Ｃにより集光された蛍光を部分的に通過させる共焦点ピンホール６７Ａ，６７Ｂ，６７Ｃと、共焦点ピンホール６７Ａ，６７Ｂ，６７Ｃを通過した蛍光を検出するＰＭＴ（光電子増倍管、検出光学系）６９Ａ，６９Ｂ，６９Ｃとを備えている。
なお、共焦点観察ユニット５０は、標本Ｓに光を照射する照明手段としても機能する。また、共焦点観察ユニット５０は、標本Ｓを光刺激する照射手段として用いることもできる。
【００３９】
分光ＤＭ６３Ａ，６３Ｂは観察ユニットフィルタターレット６４Ａ，６４Ｂに設けられ、分光する波長特性に応じて切り替え可能となっている。
ＰＭＴ６９Ａ，６９Ｂ，６９Ｃは、蛍光を検出して得られた画素ごとの検出信号をＰＣ１５４へ出力するようになっている。これにより、ＰＣ１５４において、入力された検出信号に基づいて２次元画像が構築される。
【００４０】
刺激ユニット７０は、図５に示すように、顕微鏡接続ユニット１２０に接続される刺激ユニット接続部（ユニット接続部）７１を備えている。また、刺激ユニット７０は、光（刺激光）を発する刺激ユニット水銀ランプ（刺激用光源）７３と、刺激ユニット水銀ランプ７３から発せられた光を通過または遮断する刺激ユニットシャッタ７５と、刺激ユニットシャッタ７５を通過した所定の波長の光を透過させる励起フィルタ７７と、励起フィルタ７７を透過し刺激ユニット集光レンズ７９により刺激ユニット第１反射ミラー８１Ａを介して集光された光を偏向する刺激ユニットＤＭＤ（微小偏向素子アレイ）８３と、刺激ユニットＤＭＤ８３により偏向された光を標本Ｓの２次像位置Ｍに集光する刺激ユニットリレー光学系８５とを備えている。
【００４１】
刺激ユニット水銀ランプ７３は、刺激ユニット７０のフレームに着脱可能に設けられている。
励起フィルタ７７は、刺激ユニットフィルタターレット７８に設けられ、波長特性に応じて切り替え可能となっている。
【００４２】
刺激ユニットＤＭＤ８３は、刺激ユニットリレー光学系８５によりリレーされる結像レンズ２７の像位置と共役な位置に２次元配列された揺動可能な複数のマイクロミラー（図示略）を備えている。マイクロミラーは、ＯＮ領域／ＯＦＦ領域がＧＵＩ上で任意に選択され、コントローラ１５２により制御されるようになっている。これにより、標本Ｓの多点同時刺激や範囲指定刺激ができる。
【００４３】
また、刺激ユニット７０は、レーザユニット１４０から導光されたレーザ光を反射する刺激ユニット第２反射ミラー８１Ｂ、刺激ユニット第１ＢＳ８７Ａおよび刺激ユニット第３反射ミラー８１Ｃと、これらにより反射されたレーザ光を刺激ユニット接続部７１を介して顕微鏡１０の標本Ｓ上で２次元的に走査する刺激ユニットＧＳ（刺激用走査手段）８９と、刺激ユニットＧＳ８９により走査されたレーザ光を標本Ｓの２次像位置Ｍに集光する刺激ユニット瞳投影レンズ９１とを備えている。
【００４４】
刺激ユニットＧＳ８９により走査されたレーザ光は、刺激ユニット第２ＢＳ８７Ｂにより、刺激ユニットＤＭＤ８３によって偏向される光の光路に合成することができるようになっている。刺激ユニット第２ＢＳ８７Ｂは、刺激ユニットＤＭＤ８３により偏向された光を透過する一方、刺激ユニットＧＳ８９により走査されたレーザ光を反射する特性を有している。
【００４５】
この刺激ユニット第２ＢＳ８７Ｂは、フィルタターレット等の刺激ユニット切替手段９３により刺激ユニット切替ミラー９５に切り替え可能に配置されていることとしてもよい。刺激ユニット切替ミラー９５は、刺激ユニット水銀ランプ７３から発せられる光により標本Ｓを刺激する場合に光路に配置し、レーザユニット１４０から導光されるレーザ光により標本Ｓを刺激する場合に光路から外すこととすればよい。
【００４６】
撮影ユニット１１０は、結像レンズ２７により２次像位置Ｎに結像された標本Ｓの像を撮影するＣＣＤ（２次元撮像デバイス）１１１を備えている。ＣＣＤ１１１により取得された２次元画像はモニタ１５６に表示されるようになっている。２次元撮像デバイスは面で光を検出するため、共焦点観察を行う場合と比較してフレームレートが高い。したがって、ＣＣＤ１１１により、例えば、カルシウムイオン等の速い反応を捉えることができる。
【００４７】
また、ＣＣＤカメラの取付けマウントは通常規格化されており、取付面から受光面までの距離（フランジバック）が決まっている。そのため、ＣＣＤ１１１は、接続部とＣＣＤカメラマウントを変換するカメラアダプタ（ユニット接続部）１１３を介して顕微鏡接続ユニット１２０に接続される。なお、カメラアダプタ１１３は、単にマウント変換や距離をかせぐだけのものでなく、変倍アダプタやフィルタターレットとして機能することとしてもよい。
【００４８】
顕微鏡接続ユニット１２０は、図２に示すように、顕微鏡１０の外部接続ポート４３に接続される顕微鏡接続ポート（顕微鏡接続部）１２１と、撮影ユニット１１０のカメラアダプタ１１３が接続される第１接続ポート１２３Ａと、刺激ユニット７０の刺激ユニット接続部７１が接続される第２接続ポート１２３Ｂと、共焦点観察ユニット５０の観察ユニット接続部５１が接続される第３接続ポート１２３Ｃとを備えている。以下、第１接続ポート１２３Ａ、第２接続ポート１２３Ｂおよび第３接続ポート１２３Ｃをユニット接続ポート１２３Ａ，１２３Ｂ，１２３Ｃという。これらユニット接続ポート１２３Ａ，１２３Ｂ，１２３Ｃは全て同一形状となっている。
【００４９】
また、顕微鏡接続ユニット１２０には、顕微鏡１０と撮影ユニット１１０、刺激ユニット７０および共焦点観察ユニット５０とを光学的に接続する接続ユニット光学系（リレー光学系）１２５と、接続ユニット光学系１２５の光路を合成する光路合成部１２７Ａ，１２７Ｂとが備えられている。
【００５０】
接続ユニット光学系１２５は、結像レンズ２７により結像された標本Ｓの１次像を共焦点観察ユニット５０、刺激ユニット７０および撮影ユニット１１０にリレーするものである。この接続ユニット光学系１２５は、略平行光束を形成するようになっている。
【００５１】
また、接続ユニット光学系１２５は、顕微鏡１０から顕微鏡接続ポート１２１を介して入射される光を略平行光束とする第１リレーレンズ１２９Ａと、第１リレーレンズ１２９Ａを通過した光を第１接続ポート１２３Ａを介して集光する第２リレーレンズ１２９Ｂと、第１リレーレンズ１２９Ａを通過した光を第２接続ポート１２３Ｂを介して集光する第３リレーレンズ１２９Ｃと、第１リレーレンズ１２９Ａを通過した光を第３接続ポート１２３Ｃを介して集光する第４リレーレンズ１２９Ｄとを備えている。
【００５２】
第１リレーレンズ１２９Ａと第２リレーレンズ１２９Ｂとの間には、撮影ユニット１１０のＣＣＤ１１１により撮影される光を透過する一方、それ以外の波長の光を反射する第１光路合成部１２７Ａが配置されている。第１光路合成部１２７Ａの反射側には、第１光路合成部１２７Ａからの光を第３リレーレンズ１２９Ｃへと反射する一方、それ以外の波長の光を透過する第２光路合成部１２７Ｂが配置されている。第２光路合成部１２７Ｂの透過側には、第２光路合成部１２７Ｂを透過した光を第４リレーレンズ１２９Ｄへと反射する接続ユニット反射ミラー１３１が配置されている。
【００５３】
これら光路合成部１２７Ａ，１２７Ｂは略平行光束上に配置されているので、非点隔差による像の劣化を防止することができる。なお、非点隔差とは、光を集光したときの光軸に垂直な２方向の集光位置のずれのことをいう。なお、接続ユニット光学系１２５が非平行光束を形成することにより、光路合成部１２７Ａ，１２７Ｂにおいて光が裏面反射するのを防ぎ、干渉縞が生じて像が劣化するのを防止することもできる。
【００５４】
このように構成された接続ユニット光学系１２５は、第１リレーレンズ１２９Ａと第２リレーレンズ１２９Ｂにより、標本Ｓの１次像を撮影ユニット１１０内の２次像位置Ｎにリレーするようになっている。また、第１リレーレンズ１２９Ａと第３リレーレンズ１２９Ｃにより、標本Ｓの１次像を刺激ユニット７０内の２次像位置Ｍにリレーするようになっている。また、第１リレーレンズ１２９Ａと第４リレーレンズ１２９Ｄにより、標本Ｓの１次像を共焦点観察ユニット５０内の２次像位置Ｌにリレーするようになっている。
【００５５】
接続ユニット光学系１２５によりリレーされる標本Ｓの２次像は、それぞれ各ユニット接続ポート１２３Ａ，１２３Ｂ，１２３Ｃから等しい距離だけ離れた位置に結像されるようになっている。すなわち、第１接続ポート１２３Ａから２次像位置Ｎまでの距離と，第２接続ポート１２３Ｂから２次像位置Ｍまでの距離と，第３接続ポート１２３Ｃから２次像位置Ｌまでの距離は、全て等しい距離となっている。
【００５６】
光路合成部１２７Ａ，１２７Ｂは、モータ（図示略）によって回転可能な円盤状の接続ユニットフィルタターレット（切替手段）１２８Ａ，１２８Ｂに設けられ、コントローラ１５２の作動により波長特性に応じて切り替え可能となっている。
【００５７】
また、光路合成部１２７Ａ，１２７Ｂは、図示しない複数の接続ユニットＢＳ、ミラーおよびガラスにより構成され、各接続ユニットＢＳが接続ユニットフィルタターレット１２８Ａ，１２８Ｂに着脱可能に設けられている。これら接続ユニットＢＳは、ＧＵＩ（図示略）により観察方法に応じて適切なものを選択することができるようになっている。
【００５８】
このように構成された本実施形態に係る顕微鏡接続ユニット１２０および顕微鏡システム１００の作用について以下に説明する。
本実施形態に係る顕微鏡システム１００を用いて、共焦点観察ユニット５０により標本Ｓを観察しながら刺激ユニット７０により標本Ｓを刺激するとともに、刺激による標本Ｓの反応を撮影ユニット１１０により撮影する場合は、コントローラ１５２により観察方法に応じた適切な光路合成部１２７Ａ，１２７Ｂが顕微鏡接続ユニット１２０に配置される。
【００５９】
第１光路合成部１２７Ａとしては、共焦点観察ユニット５０からのレーザ光および刺激ユニット７０からの光と、共焦点観察ユニット５０により検出される蛍光とを反射する一方、ＣＣＤ１１１により撮影される蛍光を透過する波長特性のものが選択される。
【００６０】
また、第２光路合成部１２７Ｂとしては、共焦点観察ユニット５０からのレーザ光およびこれにより励起されて標本Ｓにおいて発生した蛍光を透過する一方、刺激ユニット７０からの光を反射する波長特性のものが選択される。
【００６１】
共焦点観察ユニット５０においては、レーザユニット１４０から導光されたレーザ光が観察ユニット第１反射ミラー５３Ａまたは観察ユニット第１ＢＳ５５Ａを介して観察ユニット励起ＤＭ６１により観察ユニットＧＳ５７へと反射される。そして、レーザ光は観察ユニットＧＳ５７により走査され、観察ユニット瞳投影レンズ５９により集光されて第３接続ポート１２３Ｃを通過して顕微鏡接続ユニット１２０に入射される。
【００６２】
顕微鏡接続ユニット１２０に入射されたレーザ光は、第４リレーレンズ１２９Ｄを透過して略平行光束となり、接続ユニット反射ミラー１３１で反射される。接続ユニット反射ミラー１３１で反射されたレーザ光は、第２光路合成部１２７Ｂを透過して第１光路合成部１２７Ａで反射された後、第１リレーレンズ１２９Ａにより集光されて顕微鏡接続ポート１２１を通過して顕微鏡１０に入射される。
【００６３】
顕微鏡１０に入射されたレーザ光は、顕微鏡切替ミラー４５および結像レンズ２７を介してキューブターレット４１内の顕微鏡ＢＳ３９を透過し、対物レンズ２３により標本Ｓに照射される。レーザ光が照射されることにより標本Ｓにおいて蛍光が発生すると、蛍光は対物レンズ２３によって集光された後、結像レンズ２７を透過して顕微鏡切替ミラー４５で反射され、顕微鏡接続ポート１２１を通過して顕微鏡接続ユニット１２０に入射される。
【００６４】
顕微鏡接続ユニット１２０に入射された蛍光は、第１リレーレンズ１２９Ａを透過して第１光路合成部１２７Ａにより反射される。そして、蛍光は第２光路合成部１２７Ｂを透過して接続ユニット反射ミラー１３１で反射され、第４リレーレンズ１２９Ｄにより集光されて第３接続ポート１２３Ｃを通過して共焦点観察ユニット５０に入射される。
【００６５】
共焦点観察ユニット５０に入射された蛍光は、観察ユニットＧＳ５７によりディスキャンされ、観察ユニット励起ＤＭ６１を透過して観察ユニット第２ＢＳ５５Ｂを介して分光ＤＭ６３Ａ，６３Ｂにより波長特性に応じて分光される。分光された蛍光は共焦点レンズ６５Ａ，６５Ｂ，６５Ｃにより集光され、共焦点ピンホール６７Ａ，６７Ｂ，６７Ｃを通過してＰＭＴ６９Ａ，６９Ｂ，６９Ｃに入射される。
【００６６】
ＰＭＴ６９Ａ，６９Ｂ，６９Ｃにおいては、蛍光を検出して画素ごとに得られた検出信号がＰＣ１５４へ出力される。そして、ＰＣ１５４により、入力された検出信号に基づいて標本Ｓの２次元画像が構築され、モニタ１５６に表示される。
【００６７】
次に、刺激ユニット７０においては、刺激ユニット水銀ランプ７３から発せられた光が、刺激ユニットシャッタ７５、励起フィルタ７７、刺激ユニット集光レンズ７９、刺激ユニット第１反射ミラー８１Ａを介して刺激ユニットＤＭＤ８３に入射される。刺激ユニットＤＭＤ８３に入射された光はＯＮ領域のマイクロミラーにより反射され、刺激ユニットリレー光学系８５および刺激ユニット第２ＢＳ８７Ｂを透過し第２接続ポート１２３Ｂを通過して顕微鏡接続ユニット１２０に入射される。
【００６８】
一方、レーザ光により標本Ｓを刺激する場合には、レーザユニット１４０から導光されたレーザ光が刺激ユニット第２反射ミラー８１Ｂまたは刺激ユニット第１ＢＳ８７Ａを介して刺激ユニット第３反射ミラー８１Ｃにより刺激ユニットＧＳ８９へと反射される、そして、レーザ光は刺激ユニットＧＳ８９により走査され、刺激ユニット瞳投影レンズ９１を介して刺激ユニット第２ＢＳ８７Ｂで反射され、第２接続ポート１２３Ｂを通過して顕微鏡接続ユニット１２０に入射される。
【００６９】
顕顕微鏡接続ユニット１２０に入射された光は、第３リレーレンズ１２９Ｃを透過して略平行光束となり、第２光路合成部１２７Ｂおよび第１光路合成部１２７Ａで反射される。第１光路合成部１２７Ａで反射された光は、第１リレーレンズ１２９Ａにより集光され、顕微鏡接続ポート１２１を通過して顕微鏡１０に入射される。顕微鏡１０に入射された光は、顕微鏡切替ミラー４５、結像レンズ２７および対物レンズ２３を介して標本Ｓに照射される。これにより標本Ｓが刺激される。
【００７０】
次に、撮影ユニット１１０においては、顕微鏡水銀ランプ３７から発せられた励起光がキューブターレット４１内の顕微鏡ＢＳ３９で反射され、対物レンズ２３により標本Ｓに照射される。励起光が照射されることにより標本Ｓにおいて蛍光が発生すると、蛍光は顕微鏡ＢＳ３９および結像レンズ２７を透過して顕微鏡切替ミラー４５で反射され、顕微鏡接続ポート１２１を通過して顕微鏡接続ユニット１２０に入射される。
【００７１】
顕微鏡接続ユニット１２０に入射された蛍光は、第１リレーレンズ１２９Ａ、第１光路合成部１２７Ａ、第２リレーレンズ１２９Ｂを透過し、第１接続ポート１２３Ａを通過して撮影ユニット１１０に入射される。撮影ユニット１１０に入射された蛍光は、カメラアダプタ１１３を介してＣＣＤ１１１により撮影される。ＣＣＤ１１１により取得された標本Ｓの２次元画像はモニタ１５６に表示される。
【００７２】
このようにして、共焦点観察ユニット５０により得られたモニタ１５６上の標本Ｓの画像を観ながら、刺激ユニット７０により標本Ｓの所望の位置を刺激することができる。また、撮影ユニット１１０により、刺激ユニット７０によって刺激された標本Ｓの反応を撮影して２次元画像を高速で取得することができる。また、撮影ユニット１１０により取得した標本Ｓの２次元画像を観ながら、刺激ユニット７０により標本Ｓの所望の位置を刺激し、刺激による標本Ｓの反応を共焦点観察ユニット５０により観察してより詳細な画像を得ることとしてもよい。
【００７３】
以上説明したように、本実施形態に係る顕微鏡接続ユニット１２０および顕微鏡システム１００によれば、顕微鏡接続ポート１２１およびユニット接続ポート１２３Ａ，１２３Ｂ，１２３Ｃにより、顕微鏡１０を大型化したり顕微鏡１０の作業性を悪化させたりすることなく顕微鏡１０に共焦点観察ユニット５０、刺激ユニット７０および撮影ユニット１１０を光学的に接続することができる。
【００７４】
また、光路合成部１２７Ａ，１２７Ｂにより接続ユニット光学系１２５の光路を合成することで、共焦点観察ユニット５０、刺激ユニット７０および撮影ユニット１１０間の光路を切り替えることなくそれぞれ同時に使用することができる。これにより、標本Ｓの速い反応を逃すことなく観察することが可能となる。
【００７５】
また、接続ユニット光学系１２５により標本Ｓの１次像をリレーして顕微鏡１０から遠い位置に再構築することで、顕微鏡接続ユニット１２１とユニット接続ポート１２３Ａ，１２３Ｂ，１２３Ｃとの間に光路合成部１２７Ａ，１２７Ｂを容易に配置することができる。これにより、複数の光路を合成し易くすることができる。
【００７６】
また、ユニット接続ポート１２３Ａ，１２３Ｂ，１２３Ｃが全て同一形状を有し、さらに、ユニット接続ポートから１２３Ａ，１２３Ｂ，１２３Ｃから標本Ｓの２次像までの距離が全て等しいので、ユニット接続ポート１２３Ａ，１２３Ｂ，１２３Ｃのいずれにも共焦点観察ユニット５０、刺激ユニット７０および撮影ユニット１１０を自由に組み合わせて接続することができる。したがって、観察方法のバリエーションを増加することができる。
【００７７】
なお、本実施形態においては、光路合成部１２７Ａ，１２７Ｂの切替手段として円盤状の接続ユニットフィルタターレット１２８Ａ，１２８Ｂを例示して説明したが、これに代えて、例えば、図６および図７（ａ），（ｂ）に示すようなリニアガイド１６１により構成されるスライド式切替手段１６３を採用することとしてもよい。この場合、光路合成部１２７Ｃ，１２７Ｄとしては、スライド式切替手段１６３のアリ溝１６３ａに嵌め合されるアリ１６５ａを有するキューブ式の複数の接続ユニットＢＳ１６５により構成することとすればよい。また、各キューブ式接続ユニットＢＳ１６５とスライド式切替手段１６３はビス固定により着脱可能とすればよい。
【００７８】
〔第２の実施形態〕
次に、本発明の第２の実施形態に係る顕微鏡接続ユニット１２０および顕微鏡システム２００について説明する。
本実施形態に係る顕微鏡システム２００は、図８に示すように、撮影ユニット１１０に代えて、照明手段および検出手段としての観察用高速レーザ走査ユニット（ＤＭＤ多点レーザ走査ユニット。以下、単に「多点走査ユニット」という。）２１０を備える点で、第１の実施形態と異なる。
以下、第１の実施形態に係る顕微鏡システム１００と構成を共通する箇所には、同一符号を付して説明を省略する。
【００７９】
多点走査ユニット２１０は、図９に示すように、顕微鏡接続ユニット１２０の第１接続ポート１２３Ａに接続される多点走査ユニットＧＳ接続部（ユニット接続部）２１１を備えている。また、多点走査ユニット２１０は、レーザユニット（照明手段）１４０のシングルモードファイバ１４５およびレーザユニットコリメートレンズ１４６により導光されたレーザ光（照明光）を反射する多点走査ユニット第１反射ミラー２１３Ａおよび多点走査ユニットＢＳ２１５と、これらにより反射されたレーザ光を多点走査ユニット第２反射ミラー２１３Ｂを介してライン状に収束する多点走査ユニットコリメートレンズ２１７およびシリンドリカルレンズ２１９と、収束したレーザ光を偏向する多点走査ユニットＤＭＤ２２１とを備えている。
【００８０】
多点走査ユニットＤＭＤ２２１は、対物レンズ２３の標本側焦点位置と光学的に共役な位置に配列された揺動可能な複数のマイクロミラー（図示略）を備えている。
多点走査ユニットコリメートレンズ２１７およびシリンドリカルレンズ２１９は、多点走査ユニットＤＭＤ２２１のマイクロミラーの切替方向に対して直交する方向にライン状にレーザ光を収束するようになっている。
【００８１】
また、多点走査ユニット２１０は、多点走査ユニットＤＭＤ２２１により偏向させられ、多点走査ユニット第１集光レンズ２２３Ａを透過したレーザ光を１次元走査する多点走査ユニットＧＳ（多点走査手段）２２５と、走査されたレーザ光を標本Ｓの２次像位置Ｎに集光する多点走査ユニット瞳投影レンズ２２７とを備えている。
【００８２】
また、多点走査ユニット２１０には、シリンドリカルレンズ２１９により収束させられたレーザ光を多点走査ユニットＤＭＤ２２１へと反射する一方、レーザ光が照射された標本Ｓにおいて発生し多点走査ユニットＤＭＤ２２１によりディスキャンされた蛍光を透過する多点走査ユニット励起ＤＭ２２９が備えられている。
多点走査ユニット励起ＤＭ２２９は多点走査ユニットフィルタターレット２２８に設けられ、観察方法に合わせて異なる波長特性に切り替え可能となっている。
【００８３】
さらに、多点走査ユニット２１０は、多点走査ユニット励起ＤＭ２２９を透過し多点走査ユニット第２集光レンズ２２３Ｂ、多点走査ユニット第３反射ミラー２１３Ｃおよび多点走査ユニット２１０第３集光レンズ２２３Ｃを介して集光された蛍光を検出する光検出器（検出手段）２３１を備えている。光検出器２３１としては、例えば、ラインセンサ等の１次元撮像素子やＣＣＤ等の２次元撮像素子等が用いられる。
なお、多点走査ユニット２１０は、標本Ｓを光刺激する照射手段として用いることもできる。
【００８４】
このように構成された本実施形態に係る顕微鏡システム２００の作用について以下に説明する。
本実施形態に係る顕微鏡システム２００を用いて、多点走査ユニット２１０により標本Ｓの蛍光画像を取得する場合は、コントローラ１５２により観察方法に応じた適切な第１光路合成部１２７Ｃおよび第２光路合成部１２７Ｂが顕微鏡接続ユニット１２０に配置される。
【００８５】
第１光路合成部１２７Ｃとしては、共焦点観察ユニット５０からのレーザ光および刺激ユニット７０からの光と、共焦点観察ユニット５０により検出される蛍光とを反射する一方、多点走査ユニット２１０からの光およびこれにより励起されて標本Ｓにおいて発生する蛍光を透過する波長特性のものが選択される。
また、第２光路合成部１２７Ｂは、撮影ユニット１１０の場合と同じものである。
【００８６】
多点走査ユニット２１０においては、レーザユニット１４０から導光され多点走査ユニット第１反射ミラー２１３Ａまたは多点走査ユニットＢＳ２１５で反射されたレーザ光が、多点走査ユニットコリメートレンズ２１７およびシリンドリカルレンズ２１９によりマイクロミラーの切替方向と直交する方向にライン状に収束させられる。そして、収束したレーザ光は、多点走査ユニット励起ＤＭ２２９および多点走査ユニット第２反射ミラー２１３Ｂにより多点走査ユニットＤＭＤ２２１へと反射される。
【００８７】
多点走査ユニットＤＭＤ２２１は、隣接する１以上のマイクロミラーをオン領域とし、このオン領域によりレーザ光を反射する。マイクロミラーにより反射されたレーザ光は、多点走査ユニット第１集光レンズ２２３Ａを介して多点走査ユニットＧＳ２２５に入射される。この場合において、多点走査ユニットＤＭＤ２２１がオン領域を一方向に移動させるように切り替えていくことで、多点走査ユニットＧＳ２２５に対してレーザ光がオン領域の切替方向に移動するように入射される。
【００８８】
そして、多点走査ユニットＧＳ２２５が揺動されることにより、多点走査ユニットＤＭＤ２２１のオン領域の切替方向に対して直交する一方向にレーザ光が走査され、多点走査ユニット瞳投影レンズ２２７により集光されて第１接続ポート１２３Ａを通過して顕微鏡接続ユニット１２０に入射される。
【００８９】
顕微鏡接続ユニット１２０に入射されたレーザ光は、第２リレーレンズ１２９Ｂを透過して略平行光束となり、第２光路合成部１２８Ａを透過して第１リレーレンズ１２９Ａにより集光され、顕微鏡接続ポート１２１を通過して顕微鏡１０に入射される。
【００９０】
ここで、多点走査ユニットＤＭＤ２２１のオン領域の切替動作と多点走査ユニットＧＳ２２５の揺動動作とを同期させることにより、顕微鏡１０に入射されたレーザ光は対物レンズ２３により集光されて、標本Ｓ上で２次元的に走査される。
【００９１】
レーザ光が照射されることにより標本Ｓにおいて発生した蛍光は、対物レンズ２３によって集光された後、結像レンズ２７、顕微鏡切替ミラー４５を介して顕微鏡接続ポート１２１を通過する。そして、蛍光は顕微鏡接続ユニット１２０内の第１リレーレンズ１２９Ａおよび第２リレーレンズ１２９Ｂを透過し、第１接続ポート１２３Ａを通過して多点走査ユニット２１０に入射される。
【００９２】
多点走査ユニット２１０に入射された蛍光は、多点走査ユニット瞳投影レンズ２２７、多点走査ユニットＧＳ２２５、多点走査ユニット第１集光レンズ２２３Ａを介して多点走査ユニットＤＭＤ２２１によりディスキャンされる。
【００９３】
多点走査ユニットＤＭＤ２２１によりディスキャンされた蛍光は、ＤＭＤ−Ｉ反射ミラー２１３Ｂを介して多点走査ユニット励起ＤＭ２２９を透過し、レーザ光から分離される。そして、蛍光は多点走査ユニット第２集光レンズ２２３Ｂ、多点走査ユニット第３反射ミラー２１３Ｃおよび多点走査ユニット第３集光レンズ２２３Ｃを介して集光され、光検出器２３１に入射される。
【００９４】
ここで、多点走査ユニットＤＭＤ２２１が対物レンズ２３の標本側焦点位置と光学的に共役な位置に配置されているので、レーザ光が反射されたマイクロミラーと同一のマイクロミラーにより蛍光が反射されて光検出器２３１に入射される。
【００９５】
この場合において、多点走査ユニットＤＭＤ２２１のオン領域を十分に小さく設定しておくことにより、オン領域を共焦点ピンホールとして機能させることができる。これにより、対物レンズ２３の標本側焦点面に沿う標本Ｓの鮮明な蛍光画像、すなわち、多点走査ユニットＤＭＤ２２１のオン領域を一方向に移動させることによって生成されたラインスキャン画像が光検出器２３１により取得される。
【００９６】
このようにして、多点走査ユニットＧＳ２２５の揺動位置ごとに光検出器２３１により取得されたラインスキャン画像は、多点走査ユニットＧＳ２２５の揺動位置と対応づけられてＰＣ１５４に記憶される。そして、ＰＣ１５４に記憶されたラインスキャン画像に基づいて、２次元の蛍光画像が構築される。
【００９７】
以上説明したように、本実施形態に係る顕微鏡接続ユニット１２０および顕微鏡システム２００によれば、照射手段および検出手段として多点走査型の多点走査ユニット２１０を用いることで、ガルバノスキャナやレゾナントスキャナ等を用いた場合と比較してフレームレートが高く、標本Ｓの速い反応を逃すことなく観察することができる。
【００９８】
以上、本発明の実施形態について図面を参照して詳述してきたが、具体的な構成はこの実施形態に限られるものではなく、本発明の要旨を逸脱しない範囲の設計変更等も含まれる。
例えば、上記各実施形態においては、ＰＣ１５４が、刺激ユニット７０等の照射手段による標本Ｓ上の照射位置および共焦点観察ユニット５０、撮影ユニット１１０、多点走査ユニット２１０等の検出手段による光の検出位置の基準情報を記憶する記憶手段として機能し、コントローラ１５２が、光路合成部１２７Ａ、１２７Ｂ、１２７Ｃの切り替えによって発生する上記照射手段による標本Ｓ上の照射位置ずれおよび上記検出手段による光の検出位置ずれを補正する補正手段として機能することとしてもよい。
【００９９】
このようにすることで、観察方法によって光路合成部１２７Ａ，１２７Ｂ、１２７Ｃを切り替えても、共焦点観察ユニット５０、撮影ユニット１１０または多点走査ユニット２１０により取得される画像間で像ずれが発生するのを防ぐとともに、刺激ユニット７０による刺激の位置ずれが発生するのを防ぐことができる。
【０１００】
また、上記各実施形態においては、顕微鏡接続ポート１２０に共焦点観察ユニット５０、刺激ユニット７０、撮影ユニット１１０または多点走査ユニット２１０を接続することとしたが、顕微鏡接続ポート１２０が３以上のユニット接続ポートを備え、顕微鏡１０に３以上の照射手段や検出手段を接続することとしてもよい。
【符号の説明】
【０１０１】
５０    共焦点観察ユニット（検出手段）
５１    観察ユニット接続部（ユニット接続部）
５７    観察ユニットガルバノスキャナ（観察用走査手段）
６７Ａ，６７Ｂ，６７Ｃ    共焦点ピンホール
６９Ａ，６９Ｂ，６９Ｃ    ＰＭＴ（光電子増倍管、検出光学系）
７０    刺激ユニット（照射手段）
７１    刺激ユニット接続部（ユニット接続部）
８９    刺激ユニットＧＳ（刺激用走査手段）
１００，２００    顕微鏡システム
１１０    撮影ユニット（検出手段）
１１１    ＣＣＤ（２次元撮像デバイス）
１１３    カメラアダプタ（ユニット接続部）
１２０    顕微鏡接続ユニット
１２１    顕微鏡接続ポート（顕微鏡接続部）
１２３Ａ，１２３Ｂ，１２３Ｃ    ユニット接続ポート
１２５    接続ユニット光学系（リレー光学系）
１２７Ａ，１２７Ｂ，１２７Ｃ    光路合成部
１２８Ａ，１２８Ｂ    接続ユニットフィルタターレット（切替手段）
１４０    レーザユニット（観察用光源、刺激用光源、照明手段）
１５２    コントローラ（制御装置、補正手段）
１５４    ＰＣ（記憶部）
２１１    多点走査ユニットＧＳ接続部（ユニット接続部）
２２５    多点走査ユニットＧＳ（多点走査手段）
Ｓ    標本
【図１】
2011090248.tif 000003
【図２】
2011090248.tif 000004
【図３】
2011090248.tif 000005
【図４】
2011090248.tif 000006
【図５】
2011090248.tif 000007
【図６】
2011090248.tif 000008
【図７】
2011090248.tif 000009
【図８】
2011090248.tif 000010
【図９】
2011090248.tif 000011